(57)【要約】【課題】大型化を抑えつつ、嵌合途中のハウジング同士に生じさせる反発力をバランス良く高めることができ、しかも、反発力を生じさせる反発アームの損傷を抑制することが可能なコネクタを提供すること。【解決手段】オスハウジング２０は、係止突部４５と、互いに反対側の側面にそれぞれ形成された第一傾斜面４１及び第二傾斜面４２と、を有し、メスハウジング５０は、嵌合状態で係止突部４５を係止するロックアーム６０と、オスハウジング２０に対するメスハウジング５０の嵌合途中に第二傾斜面４２によって弾性変形されて反発力を生じさせる第二反発アーム７０と、を有し、嵌合保証部材８０は、嵌合途中に第一傾斜面４１によって弾性変形されて反発力を生じさせる第一反発アーム９０と、メスハウジング５０の第二反発アーム７０を保護する保護壁８１と、を有する。【選択図】図４
2020057527.tif 000002
【特許請求の範囲】
【請求項１】
第一ハウジングと、
前記第一ハウジングに嵌合される第二ハウジングと、
前記第二ハウジングに組付けられるとともに、前記第一ハウジングと前記第二ハウジングとの嵌合状態において前記第二ハウジングに対して相対移動可能な嵌合保証部材と、
を備え、
前記第一ハウジングは、係止突部と、互いに反対側の側面にそれぞれ形成された第一傾斜面及び第二傾斜面と、を有し、
前記第二ハウジングは、前記嵌合状態で前記係止突部を係止するロックアームと、前記第一ハウジングに対する前記第二ハウジングの嵌合途中に前記第二傾斜面によって弾性変形されて反発力を生じさせる第二反発アームと、を有し、
前記嵌合保証部材は、前記嵌合途中に前記第一傾斜面によって弾性変形されて反発力を生じさせる第一反発アームと、前記第二ハウジングの前記第二反発アームを保護する保護壁と、を有する
ことを特徴とするコネクタ。
【請求項２】
前記嵌合保証部材は、前記第一反発アームが、前記係止突部を係止した前記ロックアームを係止することで、前記嵌合状態を維持させる
ことを特徴とする請求項１に記載のコネクタ。
【請求項３】
前記保護壁は、前記第二反発アームが配置される開口部を有し、
前記第二反発アームは、少なくとも前記第二傾斜面によって弾性変形されていない状態において、前記保護壁の外面よりも内側に配置される
ことを特徴とする請求項１または請求項２に記載のコネクタ。
【請求項４】
前記保護壁には、前記開口部の縁部に、外方へ突出するリブが形成されている
ことを特徴とする請求項３に記載のコネクタ。
【請求項５】
前記保護壁には、前記開口部の外側を覆うカバーが一体に形成されている
ことを特徴とする請求項３に記載のコネクタ。
【請求項６】
前記第一傾斜面に対して前記第二傾斜面が異なる傾斜角度とされている
ことを特徴とする請求項１から５のいずれか一項に記載のコネクタ。
【発明の詳細な説明】
【技術分野】
【０００１】
本発明は、コネクタに関する。
【背景技術】
【０００２】
オスハウジングに対するメスハウジングの嵌合状態をＣＰＡ部材で維持させるコネクタ位置保証（ＣＰＡ：Connector Position Assurance）機能を備えたコネクタがある。このＣＰＡ機能を備えたコネクタとして、オスハウジングの上部に形成された傾斜面に、ＣＰＡ部材の上部に設けられた反発アームがメスハウジングのロックアームとともに当接することで、オスハウジングとメスハウジングとの間に反発力を生じさせるものが知られている（例えば、特許文献１参照）。このコネクタでは、嵌合作業を行う作業者が嵌合作業を途中で止めてしまった場合においても、反発力を発生させることによって、オスハウジングとメスハウジングとが導通のない所まで戻り、嵌合不良を抑制することができる。
【先行技術文献】
【特許文献】
【０００３】
【特許文献１】特開２０１２−６４４６１号公報
【発明の概要】
【発明が解決しようとする課題】
【０００４】
ところで、嵌合途中であることの認識性を高めるために、オスハウジングとメスハウジングとの間の反発力をバランスよく高めることが求められている。この反発力をバランスよく高めるためには、例えば、オスハウジングの上下に傾斜面を設けるとともに、メスハウジングに組付けられるＣＰＡ部材の上下に反発アームを設け、コネクタの上下でそれぞれ反発力を生じさせることが考えられる。
【０００５】
しかし、ＣＰＡ部材の上下に反発アームを形成することで、コネクタ全体の大型化を招いてしまう。また、メスハウジングに対して外側を覆うように組付けられるＣＰＡ部材の反発アームは、例えば、コネクタの輸送時に周辺の部材等に接触して損傷し、反発力の発生機能が低下するおそれがある。
【０００６】
本発明は、上述した事情に鑑みてなされたものであり、その目的は、大型化を抑えつつ、嵌合途中のハウジング同士に生じさせる反発力をバランス良く高めることができ、しかも、反発力を生じさせる反発アームの損傷を抑制することが可能なコネクタを提供することにある。
【課題を解決するための手段】
【０００７】
前述した目的を達成するために、本発明に係るコネクタは、下記（１）〜（６）を特徴としている。
（１）  第一ハウジングと、
前記第一ハウジングに嵌合される第二ハウジングと、
前記第二ハウジングに組付けられるとともに、前記第一ハウジングと前記第二ハウジングとの嵌合状態において前記第二ハウジングに対して相対移動可能な嵌合保証部材と、
前記第二ハウジングに組付けられるとともに、前記第一ハウジングと前記第二ハウジングとの嵌合状態において前記第二ハウジングに対して相対移動可能な嵌合保証部材と、
を備え、
前記第一ハウジングは、係止突部と、互いに反対側の側面にそれぞれ形成された第一傾斜面及び第二傾斜面と、を有し、
前記第二ハウジングは、前記嵌合状態で前記係止突部を係止するロックアームと、前記第一ハウジングに対する前記第二ハウジングの嵌合途中に前記第二傾斜面によって弾性変形されて反発力を生じさせる第二反発アームと、を有し、
前記嵌合保証部材は、前記嵌合途中に前記第一傾斜面によって弾性変形されて反発力を生じさせる第一反発アームと、前記第二ハウジングの前記第二反発アームを保護する保護壁と、を有する
ことを特徴とするコネクタ。
（２）  前記嵌合保証部材は、前記第一反発アームが、前記係止突部を係止した前記ロックアームを係止することで、前記嵌合状態を維持させる
ことを特徴とする（１）に記載のコネクタ。
（３）  前記保護壁は、前記第二反発アームが配置される開口部を有し、
前記第二反発アームは、少なくとも前記第二傾斜面によって弾性変形されていない状態において、前記保護壁の外面よりも内側に配置される
ことを特徴とする（１）または（２）に記載のコネクタ。
（４）  前記保護壁には、前記開口部の縁部に、外方へ突出するリブが形成されている
ことを特徴とする（３）に記載のコネクタ。
（５）  前記保護壁には、前記開口部の外側を覆うカバーが一体に形成されている
ことを特徴とする（３）に記載のコネクタ。
（６）  前記第一傾斜面に対して前記第二傾斜面が異なる傾斜角度とされている
ことを特徴とする（１）から（５）のいずれか一つに記載のコネクタ。
【０００８】
上記（１）の構成のコネクタによれば、第一ハウジングの互いに反対側の側面に形成された第一傾斜面及び第二傾斜面によって、嵌合保証部材の第一反発アーム及び第二ハウジングの第二反発アームが弾性変形して反発力を生じさせる。これにより、嵌合途中における反発力をバランスよく保ち、嵌合途中であればコネクタの端子同士が確実に導通しないところまで押し戻すことができる。しかも、嵌合保証部材に第一反発アームを設け、第二ハウジングに第二反発アームを設けるので、嵌合保証部材に二つの反発アームを設ける場合と比較し、コネクタ全体の小型化を図ることができる。また、第二ハウジングの第二反発アームを保護する保護壁を嵌合保証部材に設けたので、第二反発アームが損傷することによる反発力の低下を防ぐことができる。
上記（２）の構成のコネクタによれば、第一反発アームが係止突部を係止したロックアームを係止する。これにより、第一ハウジングに対する第二ハウジングの嵌合状態を確実に維持させ、高い接続信頼性を得ることができる。
上記（３）の構成のコネクタによれば、少なくとも第二反発アームが弾性変形されていない状態で、第二反発アームが保護壁の外面よりも内側に配置されるので、小型化を図りつつ第二反発アームを保護することができる。
上記（４）の構成のコネクタによれば、開口部の縁部に形成されたリブによって、第二反発アームが外側へ弾性変形された際にも第二反発アームを保護することができる。これにより、搬送時及び嵌合状態のときだけでなく、第一コネクタへの嵌合途中においても第二反発アームを保護することができる。
上記（５）の構成のコネクタによれば、開口部の外側がカバーで覆われているので、第二反発アームをさらに確実に保護することができる。これにより、第二コネクタの搬送時及び第一コネクタへの嵌合状態のときだけでなく、第一コネクタへの嵌合途中においても第二反発アームを保護することができる。
上記（６）の構成のコネクタによれば、第一傾斜面に対して第二傾斜面の傾斜角度を異ならせることで、これらの第一傾斜面及び第二傾斜面によって生じる反発力の大きさや変化を容易に調整することができる。例えば、第一傾斜面に対して第二傾斜面の傾斜角度をなだらかにすることで全体の反発力を小さくして挿入性を高めたり、第一傾斜面に対して第二傾斜面の傾斜角度を大きくすることで全体の反発力を大きくして嵌合途中であることの認識性を高めることができる。
【発明の効果】
【０００９】
本発明によれば、大型化を抑えつつ、嵌合途中のハウジング同士に生じさせる反発力をバランス良く高めることができ、しかも、反発力を生じさせる反発アームの損傷を抑制することが可能なコネクタを提供できる。
【００１０】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１１】
【図１】図１は、本実施形態に係るコネクタの斜視図である。
【図２】図２は、本実施形態に係るコネクタの裏面側から視た斜視図である。
【図３】図３は、本実施形態に係るコネクタの側面図である。
【図４】図４（ａ）は、オスハウジング側から視たコネクタの正面図、図４（ｂ）は図４（ａ）におけるＡ−Ａ断面図である。
【図５】図５は、コネクタを構成するオスハウジング、メスハウジング及び嵌合保証部材の斜視図である。
【図６】図６は、オスハウジングに対するメスハウジングの嵌合状態を順に示す図であって、図６（ａ）から図６（ｃ）は、それぞれコネクタの一部の側断面図である。
【図７】図７は、変形例１に係るコネクタの裏面側から視た斜視図である。
【図８】図８は、変形例１に係るコネクタの一部の側断面図である。
【図９】図９は、変形例２に係るコネクタの一部の側断面図である。
【図１０】図１０は、他の形状の保護壁を備えたコネクタの裏面側から視た斜視図である。
【図１１】図１１は、他の形状の保護壁を備えたコネクタの一部の側断面図である。
【発明を実施するための形態】
【００１２】
以下、本発明に係る実施の形態の例を、図面を参照して説明する。
（第１実施形態）
図１は、本実施形態に係るコネクタの斜視図である。図２は、本実施形態に係るコネクタの裏面側から視た斜視図である。図３は、本実施形態に係るコネクタの側面図である。図４（ａ）は、オスハウジング側から視たコネクタの正面図、図４（ｂ）は図４（ａ）におけるＡ−Ａ断面図である。図５は、コネクタを構成するオスハウジング、メスハウジング及び嵌合保証部材の斜視図である。
【００１３】
図１〜図５に示すように、本実施形態に係るコネクタ１０は、オスハウジング（第一ハウジング）２０と、オスハウジング２０に嵌合されるメスハウジング（第二ハウジング）５０と、メスハウジング５０に組付けられる嵌合保証部材８０とを備えている。オスハウジング２０は嵌合部２０ａを有し、メスハウジング５０は接続部５０ａを有している。コネクタ１０は、オスハウジング２０の嵌合部２０ａにメスハウジング５０の接続部５０ａを嵌合させることで、オスハウジング２０とメスハウジング５０とが互いに接合される。コネクタ１０は、例えば、自動車等に設けられる車載のエアバッグシステムの電気コネクタを構成する。このコネクタ１０は、オスハウジング２０に対するメスハウジング５０の嵌合状態を、嵌合保証部材８０が維持させて嵌合保証するコネクタ位置保証（ＣＰＡ：Connector Position Assurance）機能を備えたコネクタである。具体的には、このコネクタ位置保証機能を備えたコネクタ１０では、オスハウジング２０に嵌合されたメスハウジング５０に対して仮係止状態の嵌合保証部材８０を押し込んで本係止状態とすることで、完全な嵌合状態とされているオスハウジング２０とメスハウジング５０とのロックが嵌合保証部材８０で維持される。また、コネクタ位置保証機能を備えたコネクタ１０では、嵌合保証部材８０は、オスハウジング２０とメスハウジング５０とが嵌合状態であっても、その嵌合が不十分であるとメスハウジング５０に対して相対移動可能とされる。したがって、作業者は、オスハウジング２０とメスハウジング５０とが嵌合状態であっても、メスハウジング５０に対して嵌合保証部材８０が相対移動可能であることからオスハウジング２０とメスハウジング５０とが完全な嵌合状態でないことを認識することができるようになっている。
【００１４】
オスハウジング２０は、合成樹脂から成形されたもので、嵌合部２０ａ側に、筒状のフード部２１を有している。このオスハウジング２０には、二つの端子収容室２２が形成されている。これらの端子収容室２２には、電線２３の端部に接続されたオス端子２５が収容されており、電線２３は、オスハウジング２０の後端から引き出されている。端子収容室２２には、電線２３に装着されたシール部材２４がオスハウジング２０の後端側から嵌め込まれている。これにより、オス端子２５が収容されたオスハウジング２０の端子収容室２２が止水されている。
【００１５】
オス端子２５は、例えば、銅または銅合金等の導電性金属材料から形成されたもので、電線２３が圧着されて接続されている。このオス端子２５には、ピン状に形成されたタブ２６を有しており、タブ２６は、フード部２１内に配置されている。
【００１６】
オスハウジング２０は、端子収容室２２に隣接する位置に収容凹部３０を有しており、この収容凹部３０には、ショート端子３１が収容されている。ショート端子３１は、例えば、銅または銅合金等の導電性金属材料から形成されたもので、接点３１ａを有する側面視略Ｕ字状に形成されている。ショート端子３１は、オスハウジング２０にメスハウジング５０が嵌合されていない非嵌合状態において、接点３１ａがオス端子２５のタブ２６に接触されている。これにより、オス端子２５同士がショート端子３１で導通され、例えば、エアバックシステムのインフレータ側の回路が短絡状態とされる。これにより、例えば、インフレータ側の回路では、警告灯が点灯することで、オスハウジング２０にメスハウジング５０が正規嵌合されていないことが警告される。
【００１７】
オスハウジング２０は、フード部２１に、第一傾斜面４１及び第二傾斜面４２を有している。これらの第一傾斜面４１及び第二傾斜面４２は、オスハウジング２０の互いに反対側の側面である上面及び下面にそれぞれ形成されている。これらの第一傾斜面４１及び第二傾斜面４２は、メスハウジング５０の嵌合方向へ向かって次第に外方へ傾斜されている。また、オスハウジング２０は、係止突部４５，４６を有している。そして、係止突部４５には、第一傾斜面４１が形成されており、係止突部４６には、第二傾斜面４２が形成されている。
【００１８】
メスハウジング５０は、合成樹脂から成形されたもので、嵌合部２０ａ側に、オスハウジング２０のフード部２１に嵌合される嵌合突部５１が突設されている。メスハウジング５０には、二つの端子収容室５２が形成されている。これらの端子収容室５２には、電線５３の端部に接続されたメス端子５５が収容されており、電線５３は、メスハウジング５０の後端から引き出されている。端子収容室５２には、電線５３に装着されたシール部材５４がメスハウジング５０の後端側から嵌め込まれている。これにより、メス端子５５が収容されたメスハウジング５０の端子収容室５２が止水されている。
【００１９】
メス端子５５は、例えば、銅または銅合金等の導電性金属材料から形成されたもので、電線５３が圧着されて接続されている。このメス端子５５は、筒状に形成された電気接続部５６を有している。電気接続部５６には、オスハウジング２０のフード部２１にメスハウジング５０の嵌合突部５１が嵌合されることで、オス端子２５のタブ２６が挿し込まれる。これにより、オスハウジング２０のオス端子２５とメスハウジング５０のメス端子５５とが電気的に接続される。
【００２０】
メスハウジング５０は、その上部に、ロックアーム６０を有している。ロックアーム６０は、後端から前方へ延びる弾性変形可能な一対のアーム部６１と、これらのアーム部６１の先端部に繋がる係止部６２とを有している。このロックアーム６０は、オスハウジング２０にメスハウジング５０が嵌合された嵌合状態で、係止部６２がオスハウジング２０の係止突部４５を係止する。
【００２１】
メスハウジング５０は、周壁部６５を有している。周壁部６５は、嵌合突部５１の後端側で一体に連結されており、嵌合突部５１は、その周囲が周壁部６５によって囲われている。周壁部６５は、底壁６６と、底壁６６の両側縁から立設された側壁６７と、側壁６７の上端に架け渡されたブリッジ６８とを有している。周壁部６５の底壁６６には、切欠き部６６ａが形成されている。
【００２２】
メスハウジング５０は、その下部に、第二反発アーム７０を有している。第二反発アーム７０は、周壁部６５の底壁６６に形成された切欠き部６６ａ内に配置されている。第二反発アーム７０は、メスハウジング５０の前方へ延びる弾性変形可能なアーム部７１を有している。アーム部７１には、その先端に、摺動面７２を有する爪部７３が形成されている。摺動面７２は、オスハウジング２０の第二傾斜面４２と同一傾斜角度に形成されている。第二反発アーム７０は、オスハウジング２０に対してメスハウジング５０を嵌合させる際に、オスハウジング２０の第二傾斜面４２に摺動面７２が当接して摺動する。
【００２３】
また、メスハウジング５０の嵌合突部５１には、その後端側に、環状のシール部材７５が装着されている。シール部材７５には、オスハウジング２０に対してメスハウジング５０が嵌合された際に、オスハウジング２０のフード部２１が密着する。これにより、オスハウジング２０のフード部２１とメスハウジング５０の嵌合突部５１との間がシール部材７５によって止水される。
【００２４】
嵌合保証部材８０は、合成樹脂から成形されたもので、前方側が開口した箱型に形成されている。嵌合保証部材８０は、メスハウジング５０に対して、後端側から組付けられ、これにより、内部にメスハウジング５０が嵌め込まれる。嵌合保証部材８０は、底部を構成する保護壁８１と、保護壁８１の両側縁から立設された側壁８２と、側壁８２の上端に架け渡されたブリッジ部８３と、保護壁８１後縁から立設された後壁８４とを有している。
【００２５】
また、嵌合保証部材８０は、その上部に、第一反発アーム９０を有している。第一反発アーム９０は、側壁８２の上端に形成されている。第一反発アーム９０は、嵌合保証部材８０の前方へ向かって延びる弾性変形可能なアーム部９１を有している。アーム部９１には、その先端に、摺動面９２を有する爪部９３が形成されている。摺動面９２は、オスハウジング２０の第一傾斜面４１と同一傾斜角度に形成されている。第一反発アーム９０は、嵌合保証部材８０を組付けたメスハウジング５０をオスハウジング２０に嵌合させる際に、オスハウジング２０の第一傾斜面４１に摺動面９２が当接して摺動する。
【００２６】
嵌合保証部材８０は、その底部を構成する保護壁８１に開口部９５を有している。開口部９５には、メスハウジング５０に嵌合保証部材８０を組付けた状態で、メスハウジング５０の第二反発アーム７０が収容される。第二反発アーム７０は、第二傾斜面４２に接触せずに弾性変形していない状態において、保護壁８１の外面よりも内側に配置される。また、保護壁８１には、開口部９５の幅方向の両縁部に、外方へ突出するリブ９６が形成されている。
【００２７】
次に、上記構造のコネクタ１０において、オスハウジング２０とメスハウジング５０とを嵌合させる場合について説明する。
図６は、オスハウジングに対するメスハウジングの嵌合状態を順に示す図であって、図６（ａ）から図６（ｃ）は、それぞれコネクタの一部の側断面図である。
【００２８】
まず、メスハウジング５０に対して嵌合保証部材８０を仮係止させる。具体的には、メスハウジング５０の後端側から嵌合保証部材８０を組付け、嵌合保証部材８０にメスハウジング５０を嵌め込む。この仮係止状態において、メスハウジング５０の第二反発アーム７０が、嵌合保証部材８０の保護壁８１に形成された開口部９５内に、保護壁８１の外面から外方へ突出することなく配置される。なお、仮係止状態において、嵌合保証部材８０の第一反発アーム９０は、その爪部９３がメスハウジング５０のロックアーム６０の係止部６２の後部に配置された状態とされる。
【００２９】
メスハウジング５０に嵌合保証部材８０を仮係止させたら、この嵌合保証部材８０が仮係止されたメスハウジング５０の接続部５０ａをオスハウジング２０の嵌合部２０ａに近接させる。そして、図６（ａ）に示すように、オスハウジング２０のフード部２１にメスハウジング５０の嵌合突部５１を嵌め込む。すると、オスハウジング２０の第一傾斜面４１に、メスハウジング５０のロックアーム６０の係止部６２及び嵌合保証部材８０の第一反発アーム９０の爪部９３の摺動面９２が当接される。また、オスハウジング２０の第二傾斜面４２には、メスハウジング５０の第二反発アーム７０の爪部７３の摺動面７２が当接される。
【００３０】
さらに、オスハウジング２０のフード部２１にメスハウジング５０の嵌合突部５１を嵌め込む。すると、図６（ｂ）に示すように、オスハウジング２０の第一傾斜面４１に当接されていたロックアーム６０の係止部６２及び第一反発アーム９０の摺動面９２が第一傾斜面４１を摺動し、また、オスハウジング２０の第二傾斜面４２に当接されていた第二反発アーム７０の摺動面７２が第二傾斜面４２を摺動する。これにより、ロックアーム６０、第一反発アーム９０及び第二反発アーム７０が外側へ弾性変形する。そして、オスハウジング２０にメスハウジング５０が嵌合途中である状態において、メスハウジング５０及び嵌合保証部材８０には、弾性変形しているロックアーム６０、第一反発アーム９０及び第二反発アーム７０の復元力の分力が、オスハウジング２０から離脱する方向へ向かう反発力として作用する。
【００３１】
反発力に抗して、オスハウジング２０のフード部２１にメスハウジング５０の嵌合突部５１をさらに嵌め込む。すると、図６（ｃ）に示すように、オスハウジング２０とメスハウジング５０とが嵌合状態となり、メス端子５５の電気接続部５６にオス端子２５のタブ２６が挿し込まれ、オス端子２５とメス端子５５とが電気的に接続される。また、嵌合状態となると、ロックアーム６０の係止部６２が係止突部４５を乗り越えることでロックアーム６０が復元して係止部６２が係止突部４５を係止する。また、第二反発アーム７０の爪部７３が係止突部４６を乗り越えることで、第二反発アーム７０が復元する。これにより、第二反発アーム７０の爪部７３が係止突部４６を係止する。これにより、オスハウジング２０に対してメスハウジング５０が嵌合した状態にロックされる。
【００３２】
この嵌合状態から嵌合保証部材８０をオスハウジング２０側へ押し込み、メスハウジング５０に対してスライドさせると、第一反発アーム９０の爪部９３が係止突部４５を係止しているロックアーム６０の係止部６２を乗り越えることで、第一反発アーム９０が復元する。これにより、第一反発アーム９０の爪部９３が、係止突部４５を係止しているロックアーム６０の係止部６２を係止する（図４（ｂ）参照）。つまり、メスハウジング５０に対して仮係止されていた嵌合保証部材８０が本係止され、これにより、メスハウジング５０のオスハウジング２０に対する嵌合状態が維持されることとなる。
【００３３】
このように、コネクタ１０では、第一反発アーム９０が係止突部４５を係止したロックアーム６０を係止するので、オスハウジング２０に対するメスハウジング５０の嵌合状態を確実に維持させ、高い接続信頼性を得ることができる。
【００３４】
以上、説明したように、本実施形態に係るコネクタ１０によれば、オスハウジング２０の互いに反対側の側面である上下面に形成された第一傾斜面４１及び第二傾斜面４２によって、嵌合保証部材８０の第一反発アーム９０及びメスハウジング５０の第二反発アーム７０が弾性変形して反発力を生じさせる。これにより、嵌合途中における反発力をバランスよく保ち、嵌合途中であればオス端子２５とメス端子５５とが確実に導通しないところまでオスハウジング２０に対してメスハウジング５０を押し戻すことができる。しかも、嵌合保証部材８０に第一反発アーム９０を設け、メスハウジング５０に第二反発アーム７０を設けるので、嵌合保証部材８０に二つの反発アームを設ける場合と比較し、コネクタ１０の全体の小型化を図ることができる。
【００３５】
また、メスハウジング５０の第二反発アーム７０を保護する保護壁８１を嵌合保証部材８０に設けたので、第二反発アーム７０が損傷することによる反発力の低下を防ぐことができる。具体的には、第二反発アーム７０が弾性変形されていない状態で、保護壁８１の開口部９５内の第二反発アーム７０が保護壁８１の外面よりも内側に配置されるので、小型化を図りつつ第二反発アーム７０を保護することができる。
【００３６】
しかも、保護壁８１の開口部９５の縁部に形成されたリブ９６によって、第二反発アーム７０が外側へ弾性変形された際にも第二反発アーム７０を保護することができる。これにより、搬送時及び嵌合状態のときだけでなく、オスハウジング２０への嵌合途中においても第二反発アーム７０を保護することができる。
【００３７】
次に、本実施形態に係るコネクタ１０の変形例について説明する。
（変形例１）
図７は、変形例１に係るコネクタの裏面側から視た斜視図である。図８は、変形例１に係るコネクタの一部の側断面図である。
図７及び図８に示すように、変形例１に係るコネクタ１０Ａでは、嵌合保証部材８０の保護壁８１にカバー９７が一体に成形されている。このカバー９７によって、保護壁８１に形成された開口部９５は、その外側が覆われている。
【００３８】
この変形例１に係るコネクタ１０Ａでは、メスハウジング５０に嵌合保証部材８０を組付けた状態において、メスハウジング５０の第二反発アーム７０が外側へ弾性変形した際にも、第二反発アーム７０がカバー９７で覆われた状態となる。これにより、オスハウジング２０へのメスハウジング５０の嵌合作業時において、外側へ弾性変形する第二反発アーム７０を触ってしまうことによる第二反発アーム７０の損傷をより確実に防ぐことができる。
【００３９】
（変形例２）
図９は、変形例２に係るコネクタの一部の側断面図である。
図９に示すように、変形例２に係るコネクタ１０Ｂは、オスハウジング２０において、下方側の第二傾斜面４２が上方側の第一傾斜面４１に対して異なる傾斜角度とされている。具体的には、上方側の第一傾斜面４１に対して下方側の第二傾斜面４２の傾斜角度がなだらかにされている。また、オスハウジング２０は、上方側だけに係止突部４５が形成されている。
【００４０】
このコネクタ１０Ｂでは、オスハウジング２０に対するメスハウジング５０の嵌合途中における第一傾斜面４１及び第二傾斜面４２によって生じる反発力が異なることとなる。具体的には、上側の第一傾斜面４１によって生じる反発力に対して下側の第二傾斜面４２によって生じる反発力が緩やかに大きくなる。なお、このコネクタ１０Ｂでは、オスハウジング２０にメスハウジング５０を嵌合させた嵌合状態において、第二反発アーム７０は第二傾斜面４２に当接した状態とされる。
【００４１】
このように、この変形例２に係るコネクタ１０Ｂによれば、第一傾斜面４１に対して第二傾斜面４２の傾斜角度を異ならせることで、これらの第一傾斜面４１及び第二傾斜面４２によって生じる反発力の大きさや変化を容易に調整することができる。例えば、第一傾斜面４１に対して第二傾斜面４２の傾斜角度をなだらかにすることで全体の反発力を小さくして挿入性を高めたり、第一傾斜面４１に対して第二傾斜面４２の傾斜角度を大きくすることで全体の反発力を大きくして嵌合途中であることの認識性を高めることができる。
【００４２】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４３】
例えば、図１０及び図１１に示すように、保護壁８１は、第二反発アーム７０を収容する開口部９５だけが形成されていてもよい。この場合、メスハウジング５０に嵌合保証部材８０を組付けることで、第二反発アーム７０は、保護壁８１の開口部９５内に、保護壁８１の外面から外方へ突出することなく配置される。したがって、第二反発アーム７０は、第二傾斜面４２によって弾性変形されていない状態であれば、外部に突出することがなく、搬送時及び嵌合状態のときに第二反発アーム７０を保護することができる。
【００４４】
ここで、上述した本発明に係るコネクタの実施形態の特徴をそれぞれ以下［１］〜［６］に簡潔に纏めて列記する。
［１］  第一ハウジング（オスハウジング２０）と、
前記第一ハウジング（オスハウジング２０）に嵌合される第二ハウジング（メスハウジング５０）と、
前記第二ハウジング（メスハウジング５０）に組付けられるとともに、前記第一ハウジング（オスハウジング２０）と前記第二ハウジング（メスハウジング５０）との嵌合状態において前記第二ハウジング（メスハウジング５０）に対して相対移動可能な嵌合保証部材（８０）と、
を備え、
前記第一ハウジング（オスハウジング２０）は、係止突部（４５）と、互いに反対側の側面にそれぞれ形成された第一傾斜面（４１）及び第二傾斜面（４２）と、を有し、
前記第二ハウジング（メスハウジング５０）は、前記嵌合状態で前記係止突部（４５）を係止するロックアーム（６０）と、前記第一ハウジング（オスハウジング２０）に対する前記第二ハウジング（メスハウジング５０）の嵌合途中に前記第二傾斜面（４２）によって弾性変形されて反発力を生じさせる第二反発アーム（７０）と、を有し、
前記嵌合保証部材（８０）は、前記嵌合途中に前記第一傾斜面（４１）によって弾性変形されて反発力を生じさせる第一反発アーム（９０）と、前記第二ハウジング（メスハウジング５０）の前記第二反発アーム（７０）を保護する保護壁（８１）と、を有する
ことを特徴とするコネクタ。
［２］  前記嵌合保証部材（８０）は、前記第一反発アーム（９０）が、前記係止突部（４５）を係止した前記ロックアーム（６０）を係止することで、前記嵌合状態を維持させる
ことを特徴とする［１］に記載のコネクタ。
［３］  前記保護壁（８１）は、前記第二反発アーム（７０）が配置される開口部（９５）を有し、
前記第二反発アーム（７０）は、少なくとも前記第二傾斜面（４２）によって弾性変形されていない状態において、前記保護壁（８１）の外面よりも内側に配置される
ことを特徴とする［１］または［２］に記載のコネクタ。
［４］  前記保護壁（８１）には、前記開口部（９５）の縁部に、外方へ突出するリブ（９６）が形成されている
ことを特徴とする［３］に記載のコネクタ。
［５］  前記保護壁（８１）には、前記開口部（９５）の外側を覆うカバー（９７）が一体に形成されている
ことを特徴とする［３］に記載のコネクタ。
［６］  前記第一傾斜面（４１）に対して前記第二傾斜面（４２）が異なる傾斜角度とされている
ことを特徴とする［１］から［５］のいずれか一つに記載のコネクタ。
【符号の説明】
【００４５】
１０，１０Ａ，１０Ｂ：コネクタ
２０：オスハウジング（第一ハウジング）
４１：第一傾斜面
４２：第二傾斜面
４５：係止突部
５０：メスハウジング（第二ハウジング）
６０：ロックアーム
７０：第二反発アーム
８０：嵌合保証部材
８１：保護壁
９０：第一反発アーム
９５：開口部
９６：リブ
９７：カバー
【図１】
2020057527.tif 000003
【図２】
2020057527.tif 000004
【図３】
2020057527.tif 000005
【図４】
2020057527.tif 000006
【図５】
2020057527.tif 000007
【図６】
2020057527.tif 000008
【図７】
2020057527.tif 000009
【図８】
2020057527.tif 000010
【図９】
2020057527.tif 000011
【図１０】
2020057527.tif 000012
【図１１】
2020057527.tif 000013